(57)【特許請求の範囲】
【請求項１】
自己現像液を収納した現像液収納部と感光面を有するインスタントフィルムを収納するフィルム収納部と、
前記インスタントフィルムの上に露光用の光を照射するための光ヘッドと、
前記自己現像液を絞り出すための現像手段と、
前記インスタントフィルムを搬送するための搬送手段と、
前記搬送手段による前記インスタントフィルムの搬送速度を、前記インスタントフィルムの搬送中に変化させる制御手段と、を有し、
前記制御手段は、前記現像手段が前記現像液収納部に位置しているときの搬送速度を、少なくとも前記インスタントフィルムの他の部分を搬送する場合に比べて小さくする、
ことを特徴とする光プリンタ。
【請求項２】
前記現像手段が前記現像液収納部を通過した後に前記光ヘッドによる前記インスタントフィルムへの露光が開始される場合、前記制御手段は、前記現像手段が前記現像液収納部に位置しているときの搬送速度を、前記インスタントフィルムへの露光が行われる場合に比べて小さくする、請求項１に記載の光プリンタ。
【請求項３】
前記現像手段が前記現像液収納部を通過中に前記光ヘッドによる前記インスタントフィルムの感光面への露光が開始される場合、前記制御手段は、前記現像手段が前記現像液収納部に位置しているときの搬送速度を、前記インスタントフィルムの感光面への露光が行われる場合と同じとする、請求項１に記載の光プリンタ。
【請求項４】
自己現像液を収納した現像液収納部と感光面を有するインスタントフィルムを収納するフィルム収納部と、
前記インスタントフィルム上に露光用の光を照射するための光ヘッドと、
前記自己現像液を絞り出すための現像手段と、
前記インスタントフィルムを搬送するための搬送手段と、
前記搬送手段による前記インスタントフィルムの搬送速度を、前記インスタントフィルムの搬送中に変化させる制御手段と、を有し、
前記制御手段は、前記光ヘッドによる前記インスタントフィルムの感光面への露光が行われている場合の搬送速度を、前記インスタントフィルムの感光面への露光が終了した場合に比べて小さくする、
ことを特徴とする光プリンタ。
【請求項５】
前記現像手段は、現像ローラである請求項１〜４の何れか一項に記載の光プリンタ。
【請求項６】
前記搬送手段は、搬送ローラである請求項１〜５の何れか一項に記載の光プリンタ。
【発明の詳細な説明】
【０００１】
【発明の属する技術分野】
本発明は、インスタントフィルムに露光を行う光プリンタに関し、特にインスタントフィルムの特徴に合わせてインスタントフィルムの搬送速度を可変する光プリンタに関するものである。
【０００２】
【従来の技術】
自己現像液を内蔵するインスタントフィルムの表面には、自己現像液を収納する収納部によって凹凸が存在している。したがって、そのようなインスタントフィルムを露光及び現像する光プリンタにおいて、現像手段によって自己現像液を収納部から絞り出す場合に、インスタントフィルムの搬送速度を大きくすると、凹凸によって搬送速度に乱れが生じてしまう。そこで、インスタントフィルムの搬送速度を低く押さえた一定の速度で搬送していた。
【０００３】
ところが、自己現像液が絞り出されてしまえば、インスタントフィルムの表面の凹凸はほぼなくなり、またインスタントフィルムの搬送方向後端部分には非感光部があって、そのような部分を搬送する場合には搬送速度が乱れても画像になんら影響がない。しかしながら、インスタントフィルムを低く押さえた一定の速度で搬送していたため、インスタントフィルムが露光及び現像されて排出されるまでに、多くの時間を必要とするという問題があった。
【０００４】
【発明が解決しようとする課題】
本発明は、上記の問題点を解消するものであって、より短時間で露光及び現像が済んだインスタントフィルムを排出することができる光プリンタを提供することを目的とする。
【０００５】
【課題を解決するための手段】
上記課題を解決するために、本発明に係わる光プリンタにおいては、自己現像液を内蔵したインスタントフィルムを収納するフィルム収納部と、インスタントフィルム上に露光用の光を照射するための光ヘッドと、自己現像液を絞り出すための現像手段と、インスタントフィルムを搬送するための搬送手段と、搬送手段による前記インスタントフィルムの搬送速度をインスタントフィルムの搬送中に変化させる制御手段とを有することを特徴とする。
【０００６】
また、インスタントフィルムは、自己現像液を収納した現像液収納部と感光面とを有し、現像液収納部から絞り出された自己現像液が感光面を現像することが好ましい。
さらに、制御手段は、現像手段が現像液収納部に位置しているときの搬送速度を、少なくともインスタントフィルムの他の部分を搬送する場合に比べて小さくすることが好ましい。
【０００７】
さらに、制御手段は、光ヘッドによるインスタントフィルムの感光面への露光が行われている場合の搬送速度を、インスタントフィルムの感光面への露光が終了した場合に比べて小さくすることが好ましい。
さらに、現像手段は現像ローラであり、搬送手段は搬送ローラであることが好ましい。
【０００８】
【発明の実施の形態】
最初に、本発明に係わる光プリンタに用いられる感光体である、インスタントフィルム１００及びインスタントフィルム１００が複数枚収納されたフィルムカートリッジ１２０について説明する。
図１にインスタントフィルム１００の外観を示す。インスタントフィルム１００は、その一方の先端部に自己現像液を含む現像液パック１０１、感光材料１０２、表面カバー１０３及び現像液だまり１０４を有している。また、表面カバー１０３は、感光材料１０２と対向する透明な開口部を有しており、現像液パック１０１及び現像液だまり１０４等のある部分は不透明な材料から構成されている。
【０００９】
暗所において、表面カバー１０３の開口部を介して感光材料１０２を露光し、現像液パック１０１を絞って、感光材料１０２の全体に自己現像液を行き渡らせて現像し、フルカラー画像を発色させる。
図２にフィルムカートリッジ１２０の外観を示す。フィルムカートリッジ１２０は、大開口部１２１と小開口部１２２を有し、小開口部１２２からは、収納されているインスタントフィルム１００の後端部に接触することができるように構成されている。また、フィルムカートリッジ１２０の両サイドには、エッジ部１２３及び１２４が設けられ、図中の下部には、電池１２７が設けられている。電池１２７からは電極１２５及び１２６を介して電力の供給を行うことができる。さらに、インスタントフィルム１００は、小開口部１２２を利用してフィルムカートリッジ１２０から取出され、その後現像等のために後述する搬送部２２０によって搬送される。
【００１０】
図３を用いて、本発明に係わる光プリンタ２００について説明する。図３は、光プリンタ２００の概略中央断面図である。光プリンタ２００は、光ヘッド部２１０、搬送部２２０、収納部２６０、及び制御回路６００等から構成されている。
光ヘッド部２１０は、光源である３色（略赤色、略緑色及び略青色）の各ＬＥＤが並べて近接配置されたＬＥＤユニット２１１、平面と円柱状のレンズ面を持つトロイドレンズ２１３、光源から扇状に照射してくる光線２１７を略平行光束にして反射する放物面鏡２１２、再びトロイドレンズ２１３を通過して感光面１０２上の露光ポイントＰでシャープな線状に収束されることとなった光線２１７を９０度下向きに反射する反射鏡２１４、光源からの光線２１７を選択的に透過又は遮断するための液晶光シャッタアレイ２１５、及びマスク部材２１６を有している。なお、液晶光シャッタアレイ２１５は、インスタントフィルム１００の感光面１０２上に、６４０画素×６４０ラインのカラー潜像を形成することができるように構成されている。また、本実施例では、１画素の縦横の長さは、それぞれ１６２μｍである。なお、潜像形成方法については後述する。
【００１１】
搬送部２２０は、フィルムカートリッジ１２０が収納された収納部２６０に隣接して設けられおり、感光体であるインスタントフィルム１００を搬送ローラ対２２１ａ及び２２１ｂ、及び現像ローラ対２２２ａ及び２２２ｂによって矢印Ｚの方向に搬送し、排出する。インスタントフィルム１００は、搬送される間に光ヘッド部２１０により露光ポイントＰにおいてその感光材料１０２が露光されて潜像が形成される。
【００１２】
インスタントフィルム１００の搬送方向下流側の先端部には前述した現像液パック１０１が配置され、現像ローラ対２２２ａ及び２２２ｂによって現像液パック１０１が絞られて、現像液パック１０１から自己現像液がインスタントフィルム１００の露光後の感光材料１０２上に、徐々に行き渡るように構成されている。したがって、光プリンタ２００から排出されたインスタントフィルム１００は、所定の時間経過後に潜像の現像が完了し、カラー画像が発色されることとなる。
【００１３】
なお、自己現像液が感光材料１０２と反応することによって、現像が開始されることから、未露光の感光材料１０２に自己現像液が接触しないようにすることが重要である。したがって、後述するように、搬送ローラ対２２１ａ及び２２１ｂは、その中央部分の径が小さく構成され、搬送ローラ対によっては、現像液パック１０１が絞られないように構成されている。
【００１４】
また、搬送ローラ２２１ａの軸には、ロータリーエンコーダ２５０が設けられており、ロータリーエンコーダ２５０から発生されるエンコーダパルスを用いて、光ヘッド２１０による露光タイミングが取られるように構成されている。
搬送ローラ対２２１ａ及び２２１ｂ、及び現像ローラ対２２２ａ及び２２２ｂは、モータＭによって駆動されるように構成されている。また、モータＭの駆動軸にはＭロータリーエンコーダ２５５が設けられており、Ｍロータリーエンコーダ２５５から発生されるＭエンコーダパルスを用いてモータＭの回転制御がなされている。
【００１５】
収納部２６０には、ホルダ２６１に保持されたフィルムカートリッジ１２０が収納されるように構成されている。
図４は、ロータリーエンコーダ２５０を用いて発生したエンコーダパルス（ａ）、データ転送のタイミング（ｂ）、ＬＥＤユニット２１１へ供給されるＬＥＤ発光パルス（ｃ）及び液晶シャッタアレイ２１５へ供給される各液晶シャッタ素子の開閉制御を行うためのＬＣＳパルス（ｄ）〜（ｆ）を示した図である。
【００１６】
液晶シャッタアレイ２１５は、インスタントフィルム１００の搬送方向（図３の矢印Ｚ方向）に直行する方向に、それぞれが独立に開閉動作可能な６４０個の液晶シャッタ素子を１列のみ備えている。各液晶シャッタ素子は、電圧が印加されていない状態（０Ｖ）で光を透過し、所定の電圧が印加された状態で光を遮断する、いわゆるノーマリ白タイプの液晶から構成されている。
【００１７】
ＬＥＤユニット２１１の各ＬＥＤは、ＲＧＢが時分割で発光され、各ＬＥＤによって発生された露光光束はそれぞれ液晶シャッタアレイ２１５の液晶シャッタ素子を通過して、感光面１０２上の別々の位置に所定のピッチ間隔で結像する。
図４（ｂ）に示すように、１つ前のエンコーダパルスに対応して、各液晶シャッタ素子を駆動するための画像データを、液晶シャッアレイ２１５へ転送しておく。そして、エンコーダパルス（ａ）に同期して、図４（ｃ）に示すように、ＬＥＤ発光パルスを発生し、Ｒ、Ｇ、Ｂの順番を繰り返しながら、予め決められた時間間隔で、ＬＥＤユニット２１１の各ＬＥＤを発光させる。さらに、エンコーダパルス（ａ）に同期して、予め転送されている画像データに基づいたＬＳＣパルスを発生して各液晶シャッタ素子の開閉動作を制御する。
【００１８】
ロータリーエンコーダ２５５は、搬送ローラ２１１ａと同軸上に設けられているため、エンコーダパルスは、インスタントフィルム１００の搬送と同期している。したがって、エンコーダパルスと同期してＬＥＤ発光パルス及びＬＣＳパルスを発生させることによって、搬送ムラによる画質の劣化を防止することができる。
【００１９】
図４（ｄ）のＬＣＳパルスは、各色ＬＥＤの発光時の全期間中、所定の電圧を印加して、液晶シャッタ素子を閉じる信号である。この場合、インスタントフィルム１００の感光材料１０２では現像後、黒色が発色する。図４（ｅ）のＬＣＳパルスは、各色ＬＥＤの発光時の半分の期間中、所定の電圧を印加して、液晶シャッタ素子を閉じる信号である。この場合、インスタントフィルム１００の感光材料１０２では現像後、灰色が発色する。図４（ｆ）のＬＣＳパルスは、各色ＬＥＤの発光時の全期間中、電圧を印加せず、液晶シャッタ素子を開く信号である。この場合、インスタントフィルム１００の感光材料１０２では現像後、白色が発色する。このように、液晶光シャッタアレイ２１５の各液晶シャッタ素子に印加される電圧の印加時間を制御することで、本実施形態では、各色について、６４階調を表現することを可能としている。
【００２０】
また、各色の露光の終わりには、正負一対のパルスを液晶光シャッタアレイ２１５の全液晶シャッタ素子に印加して、各液晶シャッタ素子の直前の画像履歴に影響されないような配慮がなされている。さらに、液晶の劣化を防止するために、液晶光シャッタアレイ２１５に印加される電圧の極性を一回毎に反転させている。なお、液晶光シャッタアレイ２１５に印加される電圧の極性が変化しても、各液晶シャッタ素子の開閉動作に変化はないもとする。
【００２１】
図５は、インスタントフィルム１００への潜像形成プロセスを説明するための図である。ここで、インスタントフィルム１００は、矢印Ｚの方向に搬送部２２０によって所定の搬送速度で搬送されているものとする。また、インスタントフィルム１００は、Ｒ光に反応して潜像を形成するＲ層、Ｇ光に反応して潜像を形成するＧ層、及びＢ光に反応して潜像を形成するＢ層を有しているものとする。光ヘッド部２１０によって照射されるＲ、Ｇ、及びＢの各光は、図５（ａ）に示すように、インスタントフィルム１００の感光材料１０２上の露光ポイントＰに各々幅Ｗの像を、所定ピッチ間隔で結像する。
【００２２】
図５（ａ）は、Ｒ光による露光が開始された時点を示している。
図５（ｂ）は、Ｇ光の露光が開始された時点を示している。なお、所定の時間のＲ光の点灯と、インスタントフィルム１００の移動によって、Ｒ光によるＲ層中の区間イの露光が完了している。
図５（ｃ）は、Ｂ光の露光が開始された時点を示している。なお、所定の時間のＧ光の点灯と、インスタントフィルム１００の移動によって、Ｇ光によるＧ層中の区間ロの露光が完了している。
【００２３】
図５（ｄ）は、再度Ｒ光の露光が開始された時点を示している。なお、所定の時間のＢ光の点灯と、インスタントフィルム１００の移動によって、Ｂ光によるＢ層中の区間ハの露光が完了している。
同様に、図５（ｅ）ではＲ光による区間ニの露光が完了し、図５（ｆ）ではＧ光による区間ホの露光が完了している。同様の手順を繰り返すことによって、インスタントフィルム１００上に潜像が形成される。
【００２４】
次に、図６及び７を用いて、本発明に係わる光プリンタ２００の詳細構造について説明する。図６は、光プリンタ２００の斜視図を示し、図７は、図６の図中上方からみた平面図を示している。
Ｍは、制御回路６００によって、正逆回転されるモータである。モータＭは、ギアボックス２３４を介してギア２３２を正逆回転させる。２３０は、搬送ローラ２２１ｂと同軸に設けられているギア、２３１は現像ローラ２２２ａと同軸に設けられているギアである。図に示される様に、ギア２３２はギア２３１と、ギア２３１はギア２３０と噛み合わされている。モータＭの正逆回転により、ギア２３２及びギア２３１を介して現像ローラ対２２２ａ及び２２２ｂが駆動され、さらにギア２３０を介して搬送ローラ対２２１ａ及び２２１ｂが駆動されるように構成されている。
【００２５】
２５０は搬送ローラ２２１ａと同軸に設けられたロータリーエンコーダ、２５１はエンコーダパルス発生手段である。エンコーダパルス発生手段２５１は、ロータリーエンコーダ２５０が搬送ローラ２２１ａの回転と同期して回転するのに応じて、エンコーダパルス（図４（ａ）参照）を発生するように構成されている。なお、インスタントフィルム１００の搬送と同期した正確なパルスが発生できれば、他の構成を採用することも可能である。
【００２６】
１２０は前述したフィルムカートリッジであり、１２５及び１２６はフィルムカートリッジ１２０に設けられた電池１２７の電極である。電極１２５及び１２６は、接点６０７と接続して電力を制御回路６００等に供給する。
ホルダ２６１は、フィルムカートリッジ１２０を保持しており、筐体２０１に設けられた軸２０６ａ及び２０６ｂを中心にして回動することができるように構成されている。ホルダ２６１の上面には、係止部材２６２が設けられており、係止部材２６２の先端部２６４及び２６５が筐体２０１に設けられた突部２０３ａ及びｂと係合して、ホルダ２６１を筐体２０１に係止している。
【００２７】
係止部材２６２は、軸２６３を中心にして、図７中で半時計回り方向に回転することができ、回転することによって、係止部材２６２の先端部２６４及び２６５と突部２０３ａ及びｂとの係合が解除されて、ホルダ２６１が軸２０６ａ及びｂを中心して回動することができるようになる。また、筐体２０１には、突部２０４ａ及び２０４ｂが設けられており、ホルダ２６１に設けられた係合部材２７１ａ及び２７１ｂと係合して、ホルダ２６１が所定の範囲以上に回動しないように構成されている。また、ホルダ２６１が回動することによって、フィルムカートリッジ１２０の着脱が容易に行えるように構成されている。
【００２８】
突起２６６は、係止部材２６２に固定されており、ホルダ２６１に設けられた板バネ２６７の先端部と係合している。したがって、係止部材２６２は、突起２６６を介して板バネ２６７から図７中で時計回りの付勢力を受けている。なお、係止部材２６２は、ホルダ２６２に設けられたストッパ２６８によって、図７に示される位置よりも時計回りに回転することができない。ここで、係止部材２６２が、図７中で、半時計回りに回転すると、板バネ２６７によって付勢力が働き、係止部材２６２を時計回りに回転させるような力が働く。したがって、係止部材２６２の先端部２６４及び２６５と突部２０３ａ及びｂとの係合を解除するために、係止部材２６２を半時計回り方向に回転させても、板バネ２６７によって、係止部材２６２を図７の位置に自動的に復帰させる。
【００２９】
３００は、取出部材であって、一方の端部に設けられたピックアップ部材４００によって、フィルムカートリッジ１２０からインスタントフィルム１００を取出す。取出部材３００の他端には、後述するクラッチ機構が設けられている。クラッチ機構は、ギア２３０の表面に設けられた突部２３５と協働して、ギア２３０の正逆回転に応じて、取出部材３００を矢印Ｙの方向に往復移動させる。
【００３０】
取出部材３００には、開口部３２０が設けられおり、筐体２０１の突部２０２と協働して、取出部材の往復移動を規制している。また取出部材３００には、旋回部材３５０が軸３４０を中心に回転自在に設けられている。また、取出部材３００には、突起３３０が設けられており、突起３３０と旋回部材３５０との間には、バネ３４０が取付されている。さらに、旋回部材３５０は、筐体２０１に設けられた円形の突部２０５によって規制されながら、旋回できるように構成されている。
【００３１】
図８は、光プリンタの制御回路６００の概略を示すブロック図である。図１０において、６０１はプリンタＣＰＵ、６０２は第１のＤＣ／ＤＣコンバータ、６０３は第２のＤＣ／ＤＣコンバータ、６０４は取出部材３００のホームポジションを検出するためのホームセンサ、６０５はフィルムカートリッジ１２０の近傍に設けられた温度センサ、６０６はフィルムカートリッジ１２０の電池１２７の電圧を検出するための電圧センサである。また、２１１はＬＥＤユニット、２１５は液晶光シャッタアレイ、Ｍはモータ、２５６はモータＭの駆動軸に設けられているエンコーダ２５５からＭエンコーダパルスを発生するＭエンコーダパルス発生手段、２５１はロータリーエンコーダ２５０からローラリーエンコーダパルスを発生するエンコーダパルス発生手段である。
【００３２】
第１のＤＣ／ＤＣコンバータ６０２は、フィルムカートリッジ１２０の電池１２７の電圧をプリンタＣＰＵ６０１の駆動電圧（３Ｖ）に変換してプリンタＣＰＵ６０１に印加している。第２のＤＣ／ＤＣコンバータ６０３は、フィルムカートリッジ１２０の電池１２７の電圧を、ＬＥＤユニット２１１、液晶光シャッタアレイ２１５及びモータＭの駆動電圧にそれぞれ変換して、各装置に印加している。なお、第２のＤＣ／ＤＣコンバータ６０３から各装置への電圧の印加は、プリンタＣＰＵ６０１からの制御信号６３０によって、制御される。
【００３３】
プリンタＣＰＵ６０１は、Ｍエンコーダパルス発生手段２５６からのＭエンコーダパルスに基づいて、モータＭを所定の回転数で回転させるように制御している。また、プリンタＣＰＵ６０１は、ロータリーエンコーダパルス発生手段２５１からのエンコーダパルスに基づいて、ＬＥＤユニット２１１及び液晶光シャッタアレイ２１５の制御を行っている（図４参照）。
【００３４】
図９を用いて、インスタントフィルム１００の搬送制御について説明する。図中、インスタントフィルム１００は、搬送ローラ対２２１ａ及び２２１ｂと、現像ローラ対２２２ａ及び２２２ｂによって、矢印Ｚの方向に搬送される。
図９（ａ）は、インスタントフィルム１００が、取出部材３００によってフィルムカートリッジ１２０から押し出され、搬送ローラ対２２１ａ及び２２１ｂによって搬送され始めた状況を示している。前述したように、搬送ローラ対２２１ａ及び２２１ｂの中央部分の径は両端部より小さく構成されていることから、搬送ローラ対２２１ａ及び２２１ｂによって現像液パック１０１が絞られて自己現像液が突出することはない。
【００３５】
図９（ｂ）は、図９（ａ）の状態から、さらに矢印Ｚの方向にインスタントフィルム１００が送られ、ちょうど露光が開始された状況を示している。また、図９（ｂ）では、インスタントフィルムの先端が現像ローラ対２２２ａ及び２２２ｂによって挟みこまれ、現像液パック１０１が変形し始めている。現像ローラ対２２２ａ及び２２２ｂは、搬送ローラ対２２１ａ及び２２１ｂにように段が形成されていないことから、インスタントフィルム１００が通過することによって、現像液パック１０１が絞られて、自己現像液が突出することとなる。
【００３６】
プリンタＣＰＵ６０１は、モータＭを制御して、図９（ｂ）の状況、即ちインスタントフィルム１００が現像ローラ対２２２ａ及び２２２ｂの位置に搬送されるまで、第１の速度でインスタントフィルム１００を搬送する。
図９（ｃ）は、図９（ｂ）の状態から、さらに矢印Ｚの方向にインスタントフィルム１００が送られ、ちょうど現像液パック１０１の部分が現像ローラ対２２２ａ及び２２２ｂを通過した状況を示している。また、この状況で、自己現像液１０１’は、ほぼ現像液パック１０１から絞り出されている。
【００３７】
プリンタＣＰＵ６０１は、モータＭを制御して、図９（ｂ）の状態から図９（ｃ）の状態まで、即ち現像液パック１０１が現像ローラ対２２２ａ及び２２２ｂを通過する間、第１の速度より遅い第２の速度でインスタントフィルム１００を搬送する。現像液パック１０１に厚みがあり、且つ現像液パック１０１から自己現像液を絞り出すために力が必要なため、高速に搬送すると、搬送ムラなどが発生する恐れがあるからである。
【００３８】
図９（ｄ）は、図９（ｃ）の状態から、さらに矢印Ｚの方向にインスタントフィルム１００が送られ、ちょうど露光が終了した状況を示している。また、インスタントフィルム１００が現像ローラ対２２２ａ及び２２２ｂを通過するに従って、自己現像液１０１’は徐々に移動しながら感光材料１０２の表面全面に行き渡っている。
【００３９】
プリンタＣＰＵ６０１は、モータＭを制御して、図９（ｃ）の状態から図９（ｄ）の状態まで、即ち露光終了まで、第２の速度でインスタントフィルム１００を搬送する。したがって、露光が開始されてから、露光が終了するまで、インスタントフィルムは、第２の速度によって搬送されることとなる。露光中に速度の変動が起こると、その箇所で搬送ムラが発生し、画像形成に悪影響を及ぼす可能性があるからである。
【００４０】
図９（ｅ）は、（ｄ）の状態から、さらに矢印Ｚの方向にインスタントフィルム１００が送られ、現像ローラ対２２２ａ及び２２２ｂから排出される状況を示している。自己現像液１０１’は、感光材料１０２の表面全体に行き渡り、あまった自己現像液１０１’が、現像液だまり１０４に入っている。
プリンタＣＰＵ６０１は、モータＭを制御して、図９（ｄ）の状態から図９（ｅ）の状態まで、即ち露光終了後から排出までの間、第１の速度でインスタントフィルム１００を搬送する。したがって、露光終了後は、露光中よりも早い速度で、インスタントフィルムの搬送が行われ、より早くインスタントフィルム１００が排出されることとなる。
【００４１】
上述した第１の速度と第２の速度との間の速度切替は、プリンタＣＰＵ６０１によって、モータＭの回転開始からエンコーダパルスをカウントし、予め決められたカウント値を計数した時点で、速度切替を行うように制御される。しかしながら、適当にセンサを配置してインスタントフィルムを検出し、センサの出力に応じて切り替えるように制御しても良い。
【００４２】
図９の実施形態では、図９（ａ）〜図９（ｂ）の間の搬送速度と、図９（ｄ）〜図９（ｅ）までの搬送速度を、露光中の搬送速度より速い第１の速度に設定したが、別々の速度に設定しても良い。また、図９の実施形態では、現像液パック１０１が現像ローラ対２２２ａ及び２２２ｂを通過中に露光が開始されるが、現像液パック１０１が完全に現像ローラ対２２２ａ及び２２２ｂを通過した後に、露光が開始されるような場合には、露光中の搬送速度を、第１の搬送速度より遅く、且つ第２の搬送速度より早い第３の搬送速度に設定することも可能である。
【００４３】
上記の説明では、感光体として、インスタントフィルム１００を用いたが、これらに限られることなく、コンベンショナルな感光材料（ネガ又はポジフィルム、ネガ又はポジペーパ）等の、様々な感光体を用いることができる。その場合、感光体に応じて、露光プロセスを適宜変更することが望ましい。
【００４４】
【発明の効果】
このように、本発明に従えば、インスタントフィルム１００の構成及び露光状況に応じて、インスタントフィルムの搬送速度を変化させるように制御したことから、画像形成に影響を与えず且つ、インスタントフィルムの排出までの時間を短くすることが可能となった。
【図面の簡単な説明】
【図１】インスタントフィルムの外観を示す図である。
【図２】フィルムカートリッジの外観を示す図である。
【図３】本発明に係わる記録媒体搬送装置の概略断面図である。
【図４】（ａ）はエンコーダパルスを、（ｂ）はデータ転送のタイミングを、（ｃ）はＬＥＤ発光パルスを、（ｄ）〜（ｆ）はＬＳＣパルスを示す図である。
【図５】画像プロセスの概要を示す図である。
【図６】本発明に従った、記録媒体搬送装置の斜視図である。
【図７】本発明に従った、記録媒体搬送装置の平面図である。
【図８】制御回路の概略を示すブロック図である。
【図９】感光体の搬送方法を説明するための図である。
【符号の説明】
１００…インスタントフィルム
１２０…フィルムカートリッジ
２００…記録媒体搬送装置
２１０…光ヘッド部
２１１…ＬＥＤ光源
２１５…液晶光シャッタアレイ
２２０…搬送部
２２１ａ、２２１ｂ…搬送ローラ
２２２ａ、２２２ｂ…現像ローラ
２５１…ロータリーエンコーダパルス発生手段
２５６…Ｍエンコーダパルス発生手段
２６０…収納部
２６１…ホルダ
３００…取出部材
４００…爪
Ｍ…モータ
【図１】
0004523725.tif 000002
【図２】
0004523725.tif 000003
【図３】
0004523725.tif 000004
【図４】
0004523725.tif 000005
【図５】
0004523725.tif 000006
【図６】
0004523725.tif 000007
【図７】
0004523725.tif 000008
【図８】
0004523725.tif 000009
【図９】
0004523725.tif 000010